(57)【要約】【課題】加熱流動性の食品が固化したときに食い込みにくい食品包装袋および食品包装体を提供する。【解決手段】食品包装袋２は、所定温度以上で流動性を有し、所定温度以下で固体となる食品を収容するための開口Ｋを有する食品包装袋である。食品包装袋２は、短辺３１と長辺３２を有する底面部１０と、底面部１０と繋がって、各短辺３１から延びる一対の第１側面部２１と、一対の第１側面部２１と底面部１０を繋ぐ一対の第２側面部２２と、第１側面部２１と底面部１０を短辺３１に沿って接合している一対の第１接合部４１とを備える。底面部１０は、第１底面部１１と第２底面部１２とからなり、第１底面部１１と第２底面部１２を接合し、一対の第１接合部４１を繋ぐように延びる第２接合部４２を備える。各第１側面部２１は、短辺３１の中間点３１Ｍから開口Ｋまで直線的に延び、外側に向かって凸となる第１折り目１００を有する。【選択図】図２
0003208487.tif 000002
【実用新案登録請求の範囲】
【請求項１】
所定温度より高い温度で流動性を有し、前記所定温度以下で固体となる食品を収容するための開口を有する樹脂フィルムからなる食品包装袋であって、
前記開口に対向し、短辺と長辺を有する長方形の底面部と、
前記底面部と繋がって、各前記短辺から前記開口に向かって延びる一対の第１側面部と、
前記一対の第１側面部と前記底面部を繋ぐ一対の第２側面部と、
前記第１側面部と前記底面部を前記短辺に沿って接合している一対の第１接合部と、を備え、
前記底面部は、前記一対の第２側面部の一方と連続した一体の樹脂フィルムからなる第１底面部と、前記一対の第２側面部の他方と連続した一体のフィルムからなる第２底面部と、からなり、
前記第１底面部と前記第２底面部を接合し、前記一対の第１接合部を繋ぐように延びる第２接合部を備え、
各前記第１側面部は、前記短辺の中間点から前記開口まで直線的に延び、外側に向かって凸となる第１折り目を有することを特徴とする食品包装袋。
【請求項２】
前記底面部は、前記長辺の各中点を繋ぐように延びる第２折り目を有し、
各前記第２側面部は、前記長辺の中点から前記長辺の半分の長さだけ前記第２側面部の重心に向かって離れた基準点まで延びる第３折り目と、前記基準点から前記開口に向かって延びる第４折り目と、前記基準点から前記長辺の両端に向かって延びる第５折り目と、を有し、
前記第４折り目および前記第５折り目は、外側に向かって凸となっており、
前記第２折り目および前記第３折り目は、内側に向かって凸となっていることを特徴とする請求項１に記載の食品包装袋。
【請求項３】
前記第２折り目および前記第３折り目で谷折りされ、前記第４折り目および前記第５折り目で山折りされることにより、平面状に折り畳まれていることを特徴とする請求項２に記載の食品包装袋。
【請求項４】
各前記第２側面部は、前記長辺の中点から前記長辺の半分の長さだけ前記第２側面部の重心に向かって離れた基準点から前記開口に向かって延びる第４折り目と、前記基準点から前記長辺の両端に向かって延びる第５折り目と、を有し、
各前記第２側面部は、各前記基準点から前記一対の第１側面部の一方に向かって前記長辺と平行に延びる第６折り目を有し、
前記一方の第１側面部は、前記一対の第６折り目を繋ぐように延びる第７折り目を有し、
前記第４折り目および前記第５折り目は、外側に向かって凸となっており、
前記第６折り目および前記第７折り目は、内側に向かって凸となっていることを特徴とする請求項１に記載の食品包装袋。
【請求項５】
前記第４折り目および前記第５折り目で山折りにされ、前記第６折り目および前記第７折り目で谷折りにされることにより、平面状に折り畳まれていることを特徴とする請求項４に記載の食品包装袋。
【請求項６】
前記第６折り目より前記底面部側に、内側に向かって凸となる折り目がないことを特徴とする請求項４または請求項５に記載の食品包装袋。
【請求項７】
前記底面部は、折り目がないことを特徴とする請求項４から請求項６のいずれか１項に記載の食品包装袋。
【請求項８】
前記各接合部は、前記食品包装袋の外側に配置されていることを特徴とする請求項１から請求項７のいずれか１項に記載の食品包装袋。
【請求項９】
前記食品は、チョコレートまたはチョコレート類であることを特徴とする請求項１から請求項８のいずれか１項に記載の食品包装袋。
【請求項１０】
請求項１から請求項９のいずれか１項に記載の食品包装袋と、前記底面部に対応した形状の底壁部を有し、前記食品包装袋が内側に入れられる箱と、を備える食品包装体。
【考案の詳細な説明】
【技術分野】
【０００１】
本考案は、所定温度より高い温度で流動性を有し、所定温度以下で固体となる食品を収容するための食品包装袋および食品包装体に関する。
【背景技術】
【０００２】
従来、ガゼット付軟包装袋の中に加熱溶融状態の粘稠物を充填し密封した後、長方体をなすサック式紙箱に挿入し、サック式紙箱を冷却して粘稠物を固化させるホット充填包装方法が知られている（例えば、特許文献１参照）。
【先行技術文献】
【特許文献】
【０００３】
【特許文献１】特開２００９−２３４６２１号公報
【考案の開示】
【考案が解決しようとする課題】
【０００４】
この文献のガゼット付軟包装袋は、対向する一対の側面部の下端が底面を構成するように内側に折り込まれている。しかしながら、食品を収容する工程において、前記一対の側面部を持ち上げた場合、側面部に皺や折り目が発生しやすい。発生した皺や折り目が食品にくい込んだ状態で食品が固化すると、食品を袋から取り出すときに、食品の形が崩れたり、袋が破けて袋の破片が食品に混入してしまうおそれがある。
【０００５】
そこで、本考案は、加熱したときに流動性を有する食品を包装袋に入れた後、固化したときに食品に食い込みにくい食品包装袋および食品包装体を提供することを目的とする。
【課題を解決するための手段】
【０００６】
前記課題を解決するため、本考案の食品包装袋は、所定温度より高い温度で流動性を有し、所定温度以下で固体となる食品を収容するための開口を有する樹脂フィルムからなる食品包装袋であって、開口に対向し短辺と長辺を有する長方形の底面部と、底面部と繋がって各短辺から開口に向かって延びる一対の第１側面部と、一対の第１側面部と底面部を繋ぐ一対の第２側面部と、第１側面部と底面部を短辺に沿って接合している一対の第１接合部と、を備えている。
底面部は、一対の第２側面部の一方と連続した一体の樹脂フィルムからなる第１底面部と、一対の第２側面部の他方と連続した一体のフィルムからなる第２底面部と、からなり、第１底面部と第２底面部を接合し、一対の第１接合部を繋ぐように延びる第２接合部を備えている。各第１側面部は、短辺の中間点から開口まで直線的に延び、外側に向かって凸となる第１折り目を有している。
【０００７】
このように構成された食品包装袋によれば、第１接合部を備えるので、底面部の短辺が補強され、食品を収容した後、一対の第１側面部を持って持ち上げたときに、各第１側面部に皺や折り目が出来にくい。また、各第１側面部が外側に向かって凸となる第１折り目を有しているので、各第１側面部は、内側に向かって凸となる皺が出来にくい。
【０００８】
また、前記した食品包装袋の底面部は、長辺の各中点を繋ぐように延びる第２折り目を有し、各第２側面部は、長辺の中点から長辺の半分の長さだけ第２側面部の重心に向かって離れた基準点まで延びる第３折り目と、基準点から開口に向かって延びる第４折り目と、基準点から長辺の両端に向かって延びる第５折り目と、を有してもよい。第４折り目および第５折り目は、外側に向かって凸となっており、第２折り目および第３折り目は、内側に向かって凸となっている構成とすることができる。
【０００９】
この構成によれば、各第２側面部が外側に向かって凸となる第４折り目および第５折り目を有しているので、各第２側面部は、内側に向かって凸となる皺や折り目が出来にくい。
【００１０】
前記した食品包装袋は、第２折り目および第３折り目で谷折りされ、第４折り目および第５折り目で山折りされることにより、平面状に折り畳まれている構成としてもよい。
【００１１】
この構成により、食品包装袋が平面状に折り畳まれていることで、非使用時の食品包装袋をコンパクトに保管、輸送することができる。
【００１２】
また、前記した食品包装袋の各第２側面部は、長辺の中点から長辺の半分の長さだけ第２側面部の重心に向かって離れた基準点から開口に向かって延びる第４折り目と、基準点から長辺の両端に向かって延びる第５折り目と、を有してもよい。各第２側面部は、各基準点から一対の第１側面部の一方に向かって長辺と平行に延びる第６折り目を有し、一方の第１側面部は、一対の第６折り目を繋ぐように延びる第７折り目を有してもよい。
この場合に、第４折り目および第５折り目は、外側に向かって凸となっており、第６折り目および第７折り目は、内側に向かって凸となっている構成とすることができる。
【００１３】
このように構成された食品包装袋によれば、各第２側面部が外側に向かって凸となる第４折り目および第５折り目を有しているので、各第２側面部は、内側に向かって凸となる皺や折り目が出来にくい。また、第６折り目および第７折り目が底面部から長辺の半分の長さだけ離れた位置に配置されているので、第６折り目および第７折り目より底面部側に
内側に向かって凸となる皺や折り目が出来にくい。
【００１４】
前記した食品包装袋は、第４折り目および前記第５折り目で山折りにされ、前記第６折り目および前記第７折り目で谷折りにされることにより、平面状に折り畳まれている構成としてもよい。
【００１５】
この構成により、平面状に折り畳まれていることで、非使用時の食品包装袋をコンパクトに保管、輸送することができる。
【００１６】
また、前記した食品包装袋は、第６折り目より底面部側に、内側に向かって凸となる折り目がない構成としてもよい。
【００１７】
このように構成された食品包装袋によれば、第６折り目より底面部側に皺が出来にくい。
【００１８】
また、前記した食品包装袋の底面部は、折り目がない構成としてもよい。
【００１９】
このように構成された食品包装袋によれば、底面部に皺が出来にくい。
【００２０】
また、各接合部は、食品包装袋の外側に配置されている構成としてもよい。
【００２１】
このように構成された食品包装袋によれば、各接合部が外側に配置されているので、内側に充填された食品の取り出しを邪魔することがない。
【００２２】
また、食品は、チョコレートまたはチョコレート類である構成としてもよい。
【００２３】
また、食品包装体として、食品包装袋と、底面部に対応した形状の底壁部を有し、食品包装袋が内側に入れられる箱と、を備える構成としてもよい。
【００２４】
このように構成された食品包装体によれば、外側の箱の底壁部と内側の食品包装袋の底面部が対応した形状をしているので、食品包装袋の形状が安定する。従って、加熱したときに流動性を有する食品が、箱の形に沿った長方形で固化することができる。また、外側に配置された箱は、食品に直接触れることがないので、繰り返し使用することができる。
【考案の効果】
【００２５】
本考案によれば、加熱したときに流動性を有する食品が包装袋に充填された後、固化したときに包装袋が食品に食い込むことを抑制することができる。
【図面の簡単な説明】
【００２６】
【図１】本考案の実施形態に係る食品包装体を示す斜視図である。
【図２】食品包装袋を示す斜視図である。
【図３】食品包装袋の底面部を示す図（ａ）と、（ａ）のＸ−Ｘ断面図（ｂ）と、（ａ）のＹ−Ｙ断面図（ｃ）と、Ａ部拡大図（ｄ）である。
【図４】食品包装袋が畳まれている状態（ａ）から使用する状態（ｄ）までの変化形態を示す図（ａ）〜（ｄ）である。
【図５】食品包装体にチョコレートを入れる工程を示す図（ａ）と、チョコレートを入れた後を示す図（ｂ）と、チョコレートの梱包状態を示す図（ｃ）である。
【図６】食品包装体にチョコレートを入れた後、各第１側面部を引っ張り上げた状態を示す図である。
【図７】従来のガゼット袋にチョコレートを入れた後、各側面部を引っ張り上げた状態を示す図である。
【図８】変形例における食品包装袋を示す斜視図である。
【図９】変形例における食品包装袋が畳まれている状態（ａ）から使用する状態（ｄ）までの変化形態を示す図（ａ）〜（ｄ）である。
【考案を実施するための最良の形態】
【００２７】
次に、本考案の実施形態について、適宜図面を参照しながら詳細に説明する。
図１に示すように、本考案に係る食品包装体１は、所定温度より高い温度で流動性を有し、所定温度以下で固体となる食品を包装して出荷するためのものであり、食品包装袋２と、食品包装袋２が内側に入れられる箱の一例としての外箱３とから構成されている。
食品包装袋２に収容される食品としては、チョコレートやチョコレート類、豆腐、チーズ、バター、マーガリン、キャラメル、羊羹、蒟蒻、餅、ゼリーなどがある。なお、本考案におけるチョコレートとは、公正取引規約または法規上規定されているチョコレートを意味し、チョコレート類とは、公正取引規約または法規上規定されているチョコレート以外のチョコレート様の物性を持つ油脂加工品を包含した意味であり、例えば、チョコレートに類似した業務用製菓・製パン材料などを含む。
チョコレートまたはチョコレート類は、例えば、３０〜６０℃で流動性を有し、常温（例えば２０℃）以下で固化する性質を有している。
【００２８】
外箱３は、例えば、段ボールからなる四角い箱である。外箱３は、底壁部３Ａと、底壁部３Ａの各辺に対応した４つの側壁部３Ｂと、各側壁部３Ｂの上端から延出した４つの上蓋部３Ｃとを有している。底壁部３Ａは矩形であり、後述する食品包装袋２の底面部１０に対応した形状をしている。
【００２９】
図２に示すように、食品包装袋２は開口Ｋを有する袋であり、底面部１０と、一対の第１側面部２１と、一対の第２側面部２２と、一対の第１接合部４１と、第２接合部４２と、を備えている。
【００３０】
底面部１０は、開口Ｋに対向し、一対の短辺３１と、短辺３１より長い一対の長辺３２を有する長方形をなしている。
【００３１】
各第１側面部２１、各第２側面部２２は、それぞれ、連続した一枚の樹脂フィルムからなる。各第１側面部２１は、底面部１０と繋がって、各短辺３１から開口Ｋに向かって延びている。各第２側面部２２は、一対の第１側面部２１と底面部１０とに繋がって、各長辺３２から開口Ｋに向かって延びている。
【００３２】
各第１接合部４１は、第１側面部２１と底面部１０を短辺３１に沿って、溶着または接着などにより接合している。
【００３３】
底面部１０は、一対の第２側面部２２の一方と連続した一体の樹脂フィルムからなる第１底面部１１と、一対の第２側面部２２の他方と連続した一体の樹脂フィルムからなる第２底面部１２と、から構成されている。第２接合部４２は、一対の第１接合部４１を繋ぐように延び、第１底面部１１と第２底面部１２を、溶着または接着などにより接合している。第１接合部４１および第２接合部４２は、食品包装袋２の外側に配置されている。
【００３４】
各第１側面部２１は、短辺３１の中間点３１Ｍから開口Ｋまで直線的に延び、袋の外側に向かって凸となる第１折り目１００を有している。図において、袋の外側に向かって凸となる折り目は、一点鎖線で示している。第１折り目１００は、食品包装袋２の材料となる筒状の樹脂フィルムに付いていた折り目を利用することができる。食品包装袋２の樹脂フィルム材料は、長尺の筒状のものを使用することができ、このような筒状の材料は、通常、帯状に畳んだ状態でロール状に巻き取られているため、幅方向の端部に折り目がついている。なお、第１折り目１００が配置される中間点３１Ｍは、短辺３１の中点が望ましいが、中点からずれていてもよい。
【００３５】
底面部１０は、長辺３２の各中点３２Ｍを繋ぐように延びる第２折り目２００を有している。第２折り目２００は、底面部１０を２等分し、食品包装袋２の内側に向かって凸となっている。図において、袋の内側に向かって凸となる折り目は、破線で示している。
【００３６】
各第２側面部２２は、長辺３２の中点３２Ｍから、長辺３２の半分の長さだけ第２側面部２２の重心に向かって離れた基準点Ｐまで延びる第３折り目３００を有している。各第３折り目３００は、第２折り目２００の両端に繋がっており、第２折り目２００と連続している。第３折り目３００は、袋の内側に向かって凸となっている。
【００３７】
各第２側面部２２は、基準点Ｐから開口Ｋに向かって延びる第４折り目４００と、基準点Ｐから長辺３２の各両端に向かって延びる一対の第５折り目５００とを有している。第４折り目４００および第５折り目５００は、食品包装袋２の外側に向かって凸となっている。第３折り目３００と第４折り目４００は、連続する直線状になっており、基準点Ｐを境に折り目の方向が逆となっている。
【００３８】
次に、図３を参照して、第１接合部４１および第２接合部４２の詳細を説明する。
図３（ａ），（ｂ）に示すように、底面部１０の各短辺３１には、底面部１０から連続して延びる第１延長部１０Ａが設けられている。各第１延長部１０Ａは台形状であり、先端が底面部１０に接する辺よりも短くなっている。
【００３９】
また、図２に示すように、各第１側面部２１の下辺には、第１側面部２１から連続して延びる第２延長部２１Ａが設けられている。各延長部２１Ａは台形状であり、先端の辺が短辺３１よりも短くなっている。
【００４０】
第１延長部１０Ａと第２延長部２１Ａは、食品包装袋２の外側に配置され、互いに重ねられて短辺３１に沿って溶着または接着されることにより第１接合部４１が形成されている。また、第１延長部１０Ａと第２延長部２１Ａの各先端部は、互いに重ねられて端縁に沿って溶着または接着されることにより第１補助接合部４１Ａが形成されている。
【００４１】
図３（ａ），（ｃ）に示すように、第１底面部１１の底面部１０の中央側の端部には、第１底面部１１から連続して延びる第３延長部１１Ａが設けられている。第２底面部１２の底面部１０の中央側の端部には、第２底面部１２から連続して延びる第４延長部１２Ａが設けられている。
【００４２】
第３延長部１１Ａと第４延長部１２Ａは、食品包装袋２の外側に配置され、互いに重ねられて各短辺３１の中央を結ぶ線分に沿って溶着または接着されることにより第２接合部４２が形成されている。
【００４３】
図３（ｄ）に示すように、第１接合部４１と第２接合部４２が重なる部分は、第１延長部１０Ａ、第２延長部２１Ａ、第３延長部１１Ａおよび第４延長部１２Ａの４枚のフィルムが重なった重複部４３（図３（ｄ）の正方形の部分）となっている。なお、第１底面部１１と第２底面部１２を第２接合部４２で接合した後に、底面部１０と第１側面部２１を第１接合部４１および第２接合部４２で接合することで、重複部４３内のＵ字形状の重複接合部４３Ａは、４枚のフィルムが互いに接合されて非常に強くなっている。
【００４４】
食品包装袋２は、例えば、プラスチックフィルムからなり、例えば、ポリエチレンテレフタレート（ＰＥＴ）、ポリプロピレン（ＰＰ）、ポリエチレン（ＰＥ）、ポリアミド（ＰＡ）、ポリビニルアルコール（ＰＶＡ）、などの適宜の合成樹脂材料により形成されている。
【００４５】
プラスチックフィルムは、４０〜１２０μｍの厚さであることが望ましく、５５〜１００μｍの厚さであることがより望ましい。
【００４６】
次に、図４（ａ）〜（ｄ）を参照して、食品包装袋２が畳まれている状態から使用する状態までの変化形態について説明する。
食品包装袋２は、図４（ａ）のように、第２折り目２００および各第３折り目３００で谷折り（本明細書で袋の内側に向かって折ることをいう）され、各第４折り目４００および各第５折り目５００で山折り（本明細書で袋の外側に向かって折ることをいう）されることにより、平面状に折り畳まれている。第１折り目１００は、折り畳みに利用されていない。なお、第２折り目２００および第３折り目３００は、連続しており、折れ曲がりのない直線状になっている。各第２側面部２２にそれぞれ配置されている２つの第５折り目５００は、折り畳まれている状態で互いに重なっている。底面部１０は、半分に畳まれた状態となっている。
【００４７】
食品包装袋２を畳まれている状態から使用状態にするには、図４（ｂ）のように、重なっている各第５折り目５００を離して、半分に畳まれている底面部１０を広げる。そして、図４（ｃ）のように、開口Ｋを大きく広げて、食品包装袋２の中に空気を入れていく。そして、図４（ｄ）のように、折られていた第３折り目３００、第４折り目４００および第５折り目５００の部分を平面に近づけ、第２側面部２２を平面状にする。最後に、開口Ｋと底面部１０が同じ大きさの長方形になるようにして、食品包装袋２が外箱３に入るように形を直方体に整える。
【００４８】
次に、本実施形態に係る食品包装袋２および食品包装体１の使用方法について説明する。ここでは、食品の一例としてチョコレート４を梱包する場合で説明する。
【００４９】
まず、図５（ａ），（ｂ）に示すように、外箱３の上側のみを開放し、上蓋部３Ｃを立てた状態に組み立て、外箱３の底壁部３Ａに食品包装袋２の底面部１０を合わせるようにして外箱３内に食品包装袋２を入れる。そして、食品包装袋２の各第１側面部２１および各第２側面部２２の上部を、立てた上蓋部３Ｃの外側にめくって被せる。そして、食品包装袋２が敷設された食品包装体１に流動性を有する温度のチョコレート４を所定量（例えば、外箱３の容積にあった量だけ）入れる。
【００５０】
チョコレート４を入れた後、チョコレート４が冷えて固まる前に、図６に示すように、食品包装袋２の各第１側面部２１の上側中央部分Ｆを手で掴み、持ち上げることにより、食品包装袋２の皺や折り目を伸ばす。この際、食品包装袋２を、持ち上げながら上下に揺らすことで食品包装袋２の形を整える。なお、このときに、底面部１０の長辺３２から延びる第２側面部２２の上端部を持ち上げてしまうと、底面部１０の中央部は上に上がるが、チョコレート４の重みで各長辺３２の近傍が下に下がることで、第２側面部２２に激しく皺が寄ってしまうので、必ず短辺３１から延びる第１側面部２１の上側中央部分Ｆを持ち上げる必要がある。
【００５１】
そして、図５（ｃ）に示すように、食品包装袋２の開口Ｋを折りたたんで閉じる。さらに、外箱３の上蓋部３Ｃを閉じて、ガムテープなどで封をする。
【００５２】
以上によれば、本実施形態において以下のような効果を得ることができる。
本実施形態の食品包装袋２によれば、第１接合部４１と第２接合部４２を備えるので、底面部１０の短辺３１と長辺３２が補強され、食品を収容した後、一対の第１側面部２１の上側中央部分Ｆ（図６参照）を持って持ち上げたときに、各第１側面部２１に皺や折り目が出来にくい。特に本実施形態の食品包装袋２は、各第１側面部２１が外側に向かって凸となる第１折り目１００を有しているので、各第１側面部２１は、内側に向かって凸となる皺や折り目が出来にくい。
【００５３】
また、各第２側面部２２が外側に向かって凸となる第４折り目４００および第５折り目５００を有しているので、各第２側面部２２は、内側に向かって凸となる皺や折り目が出来にくい。
【００５４】
また、第１接合部４１および第２接合部４２が、食品包装袋２の外側に配置されているので、内側に充填された食品の取り出しを邪魔することがない。
【００５５】
従って、第１接合部４１により短辺３１が補強されていることと、各第１側面部２１が外側に向かって凸となる第１折り目１００を有していることで、各第１側面部２１に皺が発生しにくくなる。第１側面部２１に皺が発生しにくくなることで、食品包装袋２がチョコレート４にくい込むことを抑制し、食品包装袋２から取り出すときに、チョコレート４の形が崩れたり、食品包装袋２が破けて袋の破片がチョコレート４に混入してしまうことを抑制できる。さらに、第１側面部２１に皺が発生しにくいことで、チョコレート４を入れた後に、食品包装袋２を整えて、梱包する作業時間を短縮することができる。
【００５６】
一方、従来から使用されていたガゼット付軟包装袋の一例としてのガゼット袋５を使用した場合について図７を参照して、以下に説明する。ガゼット袋５は、対向する一対の側面部５１の下に一体に繋がったフィルムが内側に折り込まれて、底面部５０の一部を構成している。そのため、作業者が一対の側面部５１の上側中央部分Ｆを図の矢印方向に持ち上げた場合、この折り込まれた部分を起点として側面部５１に皺が発生しやすい。発生した皺が食品にくい込んだ状態で食品が固化すると、食品を袋から取り出すときに、食品の形が崩れたり、袋が破けて袋の破片が食品に混入してしまうおそれがある。つまり、ガゼット袋５は、側面部５１の下端５２の中央部分５３が特に脆弱なため、ガゼット袋５の底面の矩形を保つことが出来ず、側面部５１に皺ができて内側に折れ込みやすい構成となっている。
【００５７】
また、食品包装袋２は、プラスチックフィルムからなる構成としているので、安価に食品包装袋２を製造することができる。
【００５８】
また、食品包装体１によれば、外箱３の底壁部３Ａと、内側の食品包装袋２の底面部１０とが対応した形状をしているので、食品包装袋２の形状が安定する。従って、食品包装袋２に皺が入りにくくなり、チョコレート４が、外箱３の形に沿った長方形で固化することができる。さらに、外箱３は、チョコレート４に直接触れることがないので、繰り返し使用することができる。
【００５９】
なお、本考案は前記実施形態に限定されることなく、以下に例示するように様々な形態
で利用できる。
まず、本考案の変形例について、適宜図面を参照しながら詳細に説明する。なお、本実施形態は、前記した実施形態に係る食品包装袋２の一部の構造を変更したものであるため、実施形態と同様の構成要素については、同一符号を付し、その説明を省略する。
【００６０】
［変形例］
図８に示すように、変形例の食品包装袋６は、前記実施形態と同様の位置に、第１折り目１００、第４折り目４００および第５折り目５００を有している。そして、各第２側面部２２には、各基準点Ｐから一対の第１側面部２１の一方に向かって長辺３２と平行に延びる第６折り目６００を有している。さらに、一方の第１側面部２１には、一対の第６折り目６００が第１側面部２１に接する２つの交点Ｑを繋ぎ、一対の第６折り目６００を繋ぐように延びる第７折り目７００を有している。第６折り目６００および第７折り目７００は、内側に向かって凸となっている。食品包装袋６は、前記実施形態の食品包装袋２の有する第２折り目２００および第３折り目３００を有しておらず、第６折り目６００より底面部１０側に、内側に向かって凸となる折り目がない構成となっている。そして、食品包装袋６の底面部１０には、折り目がない構成となっている。
【００６１】
次に、図９（ａ）〜（ｄ）を参照して、食品包装袋６が畳まれている状態から使用する状態までの変化形態について説明する。
食品包装袋６は、非使用時において、図９（ａ）のように、各第４折り目４００および各第５折り目５００で山折りにされ、各第６折り目６００および第７折り目７００で谷折りにされることにより、平面状に折り畳まれている。第１折り目１００は、折り畳みに利用されていない。なお、第６折り目６００と第７折り目７００は、連続しており、折れ曲がりのない直線状になっている。底面部１０は、折り畳まれておらず、平面状になっている。底面部１０は、各第１側面部２１の下半分と重なっており、第７折り目７００がある第１側面部２１の下半分は、第７折り目７００で谷折りにされることで第１側面部２１の上半分と重なっている。
【００６２】
食品包装袋６を畳まれている状態から使用状態にするには、図９（ｂ）のように、底面部１０を開口Ｋから離すように下に下げる。そして、図９（ｃ）のように、開口Ｋを大きく広げて、袋の中に空気を入れていく。最後に、図９（ｄ）のように、開口Ｋと底面部１０が同じ大きさの長方形になるようにして、食品包装袋２が外箱３に入るように形を直方体に整える。
【００６３】
以上のように構成された食品包装袋６によれば、各第２側面部２２が外側に向かって凸となる第４折り目４００および第５折り目５００を有しているので、各第２側面部２２は、内側に向かって凸となる皺が出来にくい。さらに、第６折り目６００および第７折り目７００が底面部１０から長辺３２の半分の長さだけ離れた位置に配置されているので、第６折り目６００および第７折り目７００より底面部側に内側に向かって凸となる皺が出来にくい。つまり、食品包装袋６は、第６折り目６００より底面部側に、内側に向かって凸となる折り目がないので、第６折り目６００より底面部１０に近い位置（折り目６００より下）まで食品を収容することにより、第６折り目より底面部側に皺が出来にくい。加えて、食品包装袋６の底面部１０は、折り目がないので、底面部１０に皺や折り目が出来にくい。従って、食品を食品包装袋６に入れた後、食品包装袋６が食品に食い込むことを抑制できる。
【００６４】
前記各実施形態では、外箱は段ボールで構成されていたが、本考案はこれに限定されず、例えば、段ボール以外の紙、プラスチック、金属からなる箱を適用してもよい。
【符号の説明】
【００６５】
１      食品包装体
２      食品包装袋
３      外箱
４      チョコレート
１０    底面部
１１    第１底面部
１２    第２底面部
２１    第１側面部
２２    第２側面部
３１    短辺
３１Ｍ  中間点
３２    長辺
３２Ｍ  中点
４１    第１接合部
４２    第２接合部
１００  第１折り目
２００  第２折り目
３００  第３折り目
４００  第４折り目
５００  第５折り目
Ｋ      開口
Ｐ      基準点
【図１】
0003208487.tif 000003
【図２】
0003208487.tif 000004
【図３】
0003208487.tif 000005
【図４】
0003208487.tif 000006
【図５】
0003208487.tif 000007
【図６】
0003208487.tif 000008
【図７】
0003208487.tif 000009
【図８】
0003208487.tif 000010
【図９】
0003208487.tif 000011